(57)【要約】無線通信のための電力制御は、無線装置によって使用されるために送信電力を決定することを含むことがある。開ループ電力制御を使用する無線装置は、電力方程式のパラメータが別の無線装置から受信した１つ以上の電力制御メッセージに基づくことがあるところで、開ループ電力方程式に基づいて送信電力を選択することがある。いくつかの局面では、伝送損失は開ループ電力制御のために評価されることがあり、また、Offset_BSperSSのための値は閉ループ電力制御のために基地局によって提供される情報から得られることがある。安定した結合したオープンクローズドループ（open-closed loop）アルゴリズムを促進するために、開ループ電力制御は、相互性に基づいてチャネル変更を補正するために使用されることがあり、また、閉ループ電力制御は干渉の変動（例えばＤＣＤメッセージによって提供されるＮＩと比較したような）を補正するために使用されることがある。
2010521892.tif 000002
【特許請求の範囲】
【請求項１】
受信リンクに関連した伝送損失を評価することと、
干渉における変動を反映する電力制御指示を受信することと、
そして、前記評価された伝送損失および前記受信した電力制御指示に基づいて送信リンクのための送信電力を決定することとを具備する
無線通信のための電力制御の方法。
【請求項２】
前記受信リンクは、基地局から加入者局まで順方向リンクを具備し、
そして、前記送信リンクは、前記加入者局から前記基地局へ逆方向リンクを具備する請求項１の方法。
【請求項３】
前記送信電力の決定は、開ループ電力制御に対応付けられる請求項２の方法。
【請求項４】
前記受信した電力制御指示は、
閉ループ電力制御メッセージ、ユニキャスト・メッセージ、およびOffset_BSperSSを定義するための情報から成るグループの少なくとも１つを具備する請求項３の方法。
【請求項５】
前記干渉での変動は、
前記基地局から受信した雑音と干渉の指示に関連がある請求項３の方法。
【請求項６】
前記受信した電力制御指示は、
前記基地局で監視された干渉、前記加入者局に関連したサービス品質、前記加入者局に関連したＨＡＲＱ、受信アンテナの個数、少なくとも１つの受信アンテナに関連した利得から成るグループの少なくとも１つに基づいて電力の変更を指定する請求項３の方法。
【請求項７】
前記送信電力の決定は、
キャリア対雑音符号化スキームオフセット、前記基地局から受信した雑音および干渉の指示、および繰返し率にさらに基づく、請求項３の方法。
【請求項８】
前記伝送損失の評価は、
前記順方向リンクによって前記基地局から受信する制御メッセージに関連した信号電力レベルを決定することを具備する請求項２の方法。
【請求項９】
前記伝送損失の評価は、
前記順方向および逆方向リンクのためのアンテナ構成に基づく請求項２の方法。
【請求項１０】
前記伝送損失の評価の変化は、
大きくおよび（または）一時的な変化を緩和するためにフィルタされる請求項２の方法。
【請求項１１】
前記伝送損失の評価は、前記加入者局の移動に基づく請求項２の方法。
【請求項１２】
前記伝送損失の評価は、前記加入者局の場所に基づく請求項２の方法。
【請求項１３】
前記基地局と前記加入者局の間の送信電力レベルの同期を維持するために決定された送信電力を示すメッセージを送信することをさらに具備する請求項２の方法。
【請求項１４】
電力制御方程式は、前記送信電力決定の中で使用され、
前記方法は、
前記モード切り替えの後の前記送信電力が前記モード切り替えの前の前記送信電力に本質的に類似するように、閉ループ電力制御モードから開ループ電力制御モードに切り替わるときに、前記電力制御方程式の少なくとも１つのパラメータを適応させることをさらに具備する請求項１の方法。
【請求項１５】
受信リンクに関連した伝送損失を評価するのに適応させた伝送損失評価器と、
干渉における変動を反映する電力制御指示を受信するのに適応させた受信機と、
そして、前記評価された伝送損失および前記受信した電力制御指示に基づいて送信リンクのための送信電力を決定するのに適応させた電力コントローラと
を具備する無線通信電力制御のための装置。
【請求項１６】
前記受信リンクは、前記基地局から前記加入者局まで順方向リンクを具備し
そして、前記送信リンクは、前記加入者局から前記基地局まで逆方向リンクを具備する請求項１５の装置。
【請求項１７】
前記送信電力の決定は、開ループ電力制御に関連付けられる請求項１６の装置。
【請求項１８】
前記受信した電力制御指示は、
閉ループ電力制御メッセージ、ユニキャスト・メッセージ、およびOffset_BSperSSを定義するための情報から成るグループの少なくとも１つを具備する請求項１７の装置。
【請求項１９】
前記干渉での変動は、
前記基地局から受信した雑音と干渉の指示に関連している請求項１７の装置。
【請求項２０】
前記受信した電力制御指示は、
前記基地局で監視された干渉、前記加入者局に関連したサービス品質、前記加入者局に関連したＨＡＲＱ、前記受信アンテナの個数、少なくとも１つの受信アンテナに関連した利得から成るグループの少なくとも１つに基づいて電力の変化を指定する請求項１７の装置。
【請求項２１】
前記電力コントローラは、
キャリア対雑音符号化スキームオフセット、前記基地局から受信した雑音および干渉の指示、および繰返し率に基づいて前記送信電力を決定するためにさらに適応させた請求項１７の装置。
【請求項２２】
前記伝送損失評価器は、
前記順方向リンクによって前記基地局から受信される制御メッセージに関連した信号電力レベルの決定により前記伝送損失を評価するためにさらに適応させた請求項１６の装置。
【請求項２３】
前記伝送損失評価器は、
前記順方向および逆方向リンクのためのアンテナ構成に基づいて前記伝送損失を評価するためにさらに適応させた請求項１６の装置。
【請求項２４】
前記伝送損失評価器は、
大きくおよび（または）一時的な変化を緩和する前記伝送損失の評価の変化をフィルタするためにさらに適応させた請求項１６の装置。
【請求項２５】
前記伝送損失評価器は、
前記加入者局の移動に基づいて前記伝送損失を評価するためにさらに適応させた請求項１６の装置。
【請求項２６】
前記伝送損失評価器は、
前記加入者局の場所に基づいて前記伝送損失を評価するためにさらに適応させた請求項１６の装置。
【請求項２７】
前記基地局と加入者局の間の送信電力レベル同期を維持するために決定された前記送信電力を示すメッセージを送信するのに適応させた送信機をさらに具備する請求項１６の装置。
【請求項２８】
前記電力コントローラは、
電力制御方程式に基づいて前記送信電力を決定することと、
そして、前記モード切り替えの後の前記送信電力が前記モード切り替えの前の前記送信電力に本質的に類似するように、閉ループ電力制御モードから開ループ電力制御モードに切り替わるとき、前記電力制御方程式の少なくとも１つのパラメータを適応させることとにさらに適応させた請求項１５の装置。
【請求項２９】
受信リンクに関連した伝送損失を評価するための手段と、
干渉における変動を反映する電力制御指示を受信するための手段と、
そして、前記評価された伝送損失および前記受信した電力制御指示に基づいて送信リンクのための送信電力を決定するための手段と
を具備する無線通信電力制御のための装置。
【請求項３０】
前記受信リンクは、前記基地局から前記加入者局まで順方向リンクを具備し、
そして、前記送信リンクは、前記加入者局から前記基地局へ逆方向リンクを具備する請求項２９の装置。
【請求項３１】
前記送信電力の決定は、開ループ電力制御に関連付けられる請求項３０の装置。
【請求項３２】
前記受信した電力制御指示は、
閉ループ電力制御メッセージ、ユニキャスト・メッセージ、およびOffset_BSperSSを定義するための情報から成るグループの少なくとも１つを具備する請求項３１の装置。
【請求項３３】
前記干渉での変動は、
前記基地局から受信した雑音と干渉の指示に関連がある請求項３１の装置。
【請求項３４】
前記受信した電力制御指示は、
前記基地局で監視された干渉、前記加入者局に関連したサービス品質、前記加入者局に関連したＨＡＲＱ、前記受信アンテナの個数、少なくとも１つの受信アンテナに関連した利得から成るグループの少なくとも１つに基づいて電力の変化を指定する請求項３１の装置。
【請求項３５】
前記決定のための手段は、
キャリア対雑音符号化スキームオフセット、前記基地局からから受信した雑音および干渉の指示、および繰返し率に基づいて前記送信電力を決定する請求項３１の装置。
【請求項３６】
前記評価のための手段は、
前記順方向リンクによって前記基地局から受信される制御メッセージに関連した信号電力レベルの決定により前記伝送損失を評価する請求項３０の装置。
【請求項３７】
前記評価のための手段は、
前記順方向および逆方向リンクのためのアンテナ構成に基づいて前記伝送損失を評価する請求項３０の装置。
【請求項３８】
前記評価のための手段は、
大きいおよび（または）一時的な変化を緩和するために前記伝送損失の評価の中での変化を濾す請求項３０の装置。
【請求項３９】
前記評価のための手段は、
前記加入者局の移動に基づいて前記伝送損失を評価する請求項３０の装置。
【請求項４０】
前記評価のための手段は、
前記加入者局の場所に基づいて前記伝送損失を評価する請求項３０の装置。
【請求項４１】
前記基地局と前記加入者局の間の送信電力レベル同期を維持するために前記決定された送信電力を示すメッセージを送信するための手段をさらに具備する請求項３０の装置。
【請求項４２】
前記決定のための手段は、
電力制御方程式に基づいて前記送信電力を決定し、
そして、モード切り替えの後の送信電力がモード切り替えの前の送信電力に本質的に類似するように、閉ループ電力制御モードから開ループ電力制御モードに切り替わるとき、前記電力制御方程式の少なくとも１つのパラメータを適応させる請求項２９の装置。
【請求項４３】
受信リンクに関連した伝送損失を評価することと、
干渉における変動を反映する電力制御指示を受信することと、
そして、前記評価された伝送損失および前記受信した電力制御指示に基づいて送信リンクのための送信電力を決定することとを少なくとも１つのコンピュータにもたらすためのコードを具備するコンピュータ読取可能媒体を具備する無線通信電力制御のためのコンピュータプログラム製品。
【請求項４４】
基地局で干渉における変動を検出することと、
前記干渉における変動に基づいて電力制御指示を生成することと、
そして、加入者局が開ループ電力制御を使用しているときに、前記加入者局に前記電力制御指示を送信することとを具備する無線通信のための電力制御の方法。
【請求項４５】
前記基地局は、
順方向リンクによって前記加入者局に前記電力制御指示を送信し、
そして、前記開ループ電力制御は、
逆方向リンクによって前記基地局へ送信するために送信電力を決定するために、前記加入者局によって使用される請求項４４の方法。
【請求項４６】
前記送信電力は、
前記電力制御指示、キャリア対雑音符号化スキームオフセット、前記基地局からの雑音および干渉の指示、および繰返し率に基づいて決定される請求項４５の方法。
【請求項４７】
前記干渉での変動は、
前記基地局によってブロードキャストされる（broadcast）雑音と干渉の指示に関連がある請求項４４の方法。
【請求項４８】
前記電力制御指示は、
閉ループ電力制御メッセージ、ユニキャスト・メッセージ、およびOffset_BSperSSパラメータを定義するための情報から成るグループの少なくとも１つを具備する請求項４４の方法。
【請求項４９】
前記電力制御指示の生成は、
前記基地局で監視された干渉、前記加入者局に関連したサービス品質、前記加入者局に関連したＨＡＲＱ、前記受信アンテナの個数、少なくとも１つの受信アンテナに関連した利得から成るグループの少なくとも１つにさらに基づく請求項４４の方法。
【請求項５０】
前記開ループ電力制御を使用するときに前記加入者局の送信電力を示す加入者局からのメッセージを受信することをさらに具備し、
前記電力制御指示の生成は、
前記基地局と前記加入者局の間の送信電力レベル同期を維持することをさらに具備する請求項４４の方法。
【請求項５１】
基地局で干渉における変動を検出するのに適応させた干渉検出器と、
前記干渉における変動に基づいて電力制御指示を生成するのに適応させた電力コントローラと、
そして、前記加入者局が開ループ電力制御を使用しているときに、前記加入者局に前記電力制御指示を送信するのに適応させた送信機と
を具備する無線通信電力制御のための装置。
【請求項５２】
前記基地局は、
順方向リンクによって前記加入者局に前記電力制御指示を送信し、
そして、前記開ループ電力制御は、
逆方向リンクによって前記基地局へ送信するために送信電力を決定するために、前記加入者局によって使用される請求項５１の装置。
【請求項５３】
前記送信電力は、
前記電力制御指示、キャリア対雑音符号化スキームオフセット、前記基地局からの雑音および干渉の指示、および繰返し率に基づいて決定される請求項５２の装置。
【請求項５４】
前記干渉での変動は、
前記基地局によってブロードキャストされる（broadcast）雑音と干渉の指示に関連がある請求項５１の装置。
【請求項５５】
前記電力制御指示は、
閉ループ電力制御メッセージ、ユニキャスト・メッセージ、およびOffset_BSperSSパラメータを定義するための情報から成るグループの少なくとも１つを具備する請求項５１の装置。
【請求項５６】
前記電力コントローラは、
前記基地局で監視された干渉、前記加入者局に関連したサービス品質、前記加入者局に関連したＨＡＲＱ、前記受信アンテナの個数、少なくとも１つの受信アンテナに関連した利得から成るグループの少なくとも１つに基づいて前記電力制御指示を生成するためにさらに適応させた請求項５１の装置。
【請求項５７】
前記開ループ電力制御を使用するときに前記加入者局の送信電力を示す前記加入者局からメッセージを受信するのに適応させた受信機をさらに具備し、
前記電力コントローラは、
前記基地局と前記加入者局の間の送信電力レベル同期を維持する電力制御指示を生成するためにさらに適応させた請求項５１の装置。
【請求項５８】
基地局で干渉における変動を検出するための手段と、
前記干渉における変動に基づいて電力制御指示を生成するための手段と、
そして、前記加入者局が開ループ電力制御を使用しているとき、前記加入者局に前記電力制御指示を送信するための手段と
を具備する無線通信電力制御のための装置。
【請求項５９】
前記基地局は、
順方向リンクによって前記加入者局に前記電力制御指示を送信し、
そして、前記開ループ電力制御は、
逆方向リンクによって前記基地局へ送信するために送信電力を決定するために前記加入者局によって使用される請求項５８の装置。
【請求項６０】
前記送信電力は、
前記電力制御指示、キャリア対雑音符号化スキームオフセット、前記基地局からの雑音および干渉の指示、および繰返し率に基づいて決定される請求項５９の装置。
【請求項６１】
前記干渉での変動は、
前記基地局によってブロードキャストされる（broadcast）雑音と干渉の指示に関連がある請求項５９の装置。
【請求項６２】
前記電力制御指示は、
閉ループ電力制御メッセージ、ユニキャスト・メッセージ、およびOffset_BSperSSパラメータを定義するための情報から成るグループの少なくとも１つを具備する請求項５９の装置。
【請求項６３】
前記生成のための手段は、
前記基地局で監視された干渉、前記加入者局に関連したサービス品質、前記加入者局に関連したＨＡＲＱ、受信アンテナの個数、少なくとも１つの受信アンテナに関連した利得から成るグループの少なくとも１つに基づいて前記電力制御指示を生成する請求項５９の装置。
【請求項６４】
前記開ループ電力制御を使用するときに前記加入者局の送信電力を示す前記加入者局からメッセージを受信するための手段をさらに具備し、
前記生成のための手段は、
前記基地局と前記加入者局の間の送信電力レベル同期を維持するために前記電力制御指示を生成する請求項５９の装置。
【請求項６５】
基地局で干渉における変動を検出することと、
前記干渉における変動に基づいて電力制御指示を生成することと
そして、前記加入者局が開ループ電力制御を使用しているとき、前記加入者局に前記電力制御指示を送信することとを少なくとも１つのコンピュータにもたらすためのコードを具備するコンピュータ読取可能媒体を具備する無線通信電力制御のためのコンピュータプログラム製品。
【発明の詳細な説明】
【優先権の主張】
【０００１】
（米国法典第３５編１１９条の下における優先権の主張）
本出願は、開示部分が参照により本明細書に組み込まれている、２００７年３月１３日に出願した、一般に所有される米国仮出願番号第６０／８９４，６４７号の優先権の利益を主張するものである。
【背景技術】
【０００２】
本出願は、一般に無線通信に関し、より具体的には、これに限らず、装置の送信電力の制御に関する。
【０００３】
電子装置は、他の電子装置への情報を送信し、情報を受信することの１つ以上の通信技術をサポートすることがある。例えば、無線通信装置は、別の装置で放送電波上に通信するＷｉＭＡＸ、ＷｉＦｉおよびＣＤＭＡのような無線技術をサポートすることがある。
【０００４】
無線通信装置では、信号が送信される電力レベルの選択は様々な要因に基づくことがある。例えば、信号がより高い送信電力で送信されるとき、関連する受信装置は、その信号によって送信したどんなデータも、より容易に回復することがある。しかしながら、高電力レベルで送信すると、近隣の無線装置で干渉を引き起こすことがあるので、結果として携帯デバイスに関して電池寿命を損なうことがある。
【０００５】
上記のものを考慮して、様々なスキーム（schemes）は、高品質送信と受信可能な送信電力レベルの間の最適のバランスを維持しようとして開発されている。例えば、IEEE 802.16規格は、閉ループ電力制御手順あるいは開ループ電力制御手順電力制御のいずれかを使用して、加入者局が逆方向リンク（reverse link）に関して送信電力を決定することがあるとの、電力スキームについて記述する。  
閉ループ電力制御の下で、基地局は、加入者局に電力制御メッセージ（messages）を送信し、加入者局は、これらのメッセージに基づいて送信電力レベルを選択する。開ループ電力制御の下では、加入者局は、電力方程式に基づいて送信電力レベルを選択する。ここで、加入者局は、電力方程式のためのパラメータ（parameters）のうちのいくつかをそれ自身で決定するかもしれず、基地局から他のパラメータを得ることがある。
【発明の概要】
【０００６】
開示の見本の局面（aspects）の概要（summary）は続いて起こる（follows）。ここに、項目局面（term aspect）へのどんな参照（reference）も開示の１つ以上の局面を言及することがあることが理解されるべきである。
【０００７】
その開示は無線通信に関して電力制御にいくつかの局面の中で関係がある。特に、その開示は、送信電力を選択するために用いることがある無線通信装置への供給情報に関係がある。
【０００８】
いくつかの局面では、開ループ電力制御を使用する無線装置は、開ループ電力方程式に基づいて送信電力レベルを選択する。ここで、電力方程式のパラメータは、別の無線装置から受信した１つ以上のメッセージに基づくことがある。例えば、加入者局が開ループ電力制御を使用しているとき、関連する基地局は、基地局で監視した干渉における変動に関係のある情報を含むメッセージを送信することがある。その後、加入者局は、電力方程式のためのパラメータを提供するために受信情報を使用することがある。例えば、IEEE802.16に関連する実施では、受信したメッセージは、開ループ電力方程式のためのOffset_BSperSSパラメータを提供するための情報を含むことがある。
【０００９】
従って、いくつかの局面では、無線装置のための電力制御は、開ループ電力制御および閉ループ電力制御の組み合わせに基づくことがある。例えば、加入者局は開ループ電力方程式の使用により送信電力を選択することがあり、するとそこで、電力方程式のためのパラメータは、基地局から受信した１つ以上のユニキャスト閉ループ電力制御メッセージに基づく。ここで、電力制御メッセージは、基地局によって監視した干渉における変動に基づいて電力オフセット値（例えば電力の付加的な増加か減少）を指定することがある。
【００１０】
いくつかの局面では、開ループ電力方程式は、加入者局から基地局へ逆方向リンク上の伝送損失に関係のあるパラメータを含む。
【００１１】
いくつかの実施では、加入者局は、基地局から加入者局へ順方向リンク上の伝送損失の評価（estimate）に基づいて伝送損失パラメータを決定することがある。
【００１２】
例えば、加入者局は、信号を送信するために基地局が使用した既知の電力レベルと順方向リンク上で受信された信号の電力レベルとを比較することより、順方向リンク伝送損失を評価する（estimate）ことがある。
【００１３】
伝送損失の決定は様々な要因に基づくことがある。例えば、いくつかの実施では、加入者局は、順方向リンクによって受信された制御信号の処理により順方向リンク上の伝送損失を評価することがある。いくつかの実施では、加入者局は、順方向および逆方向リンクのための基地局および加入者局のアンテナ構成に基づいて逆方向リンクのための伝送損失を指定することがある。いくつかの実施では、加入者局は、伝送損失評価中で順方向リンクが大きくおよび（または）一時的な（transient）変化を緩和するために、その伝送損失の評価を濾す（filter）ことがある。いくつかの実施では、加入者局は、加入者局の移動に基づいて順方向リンク上の伝送損失を評価することがある。いくつかの実施では、加入者局は、加入者局の場所に基づいて送信電力を決定することがある。
【００１４】
基地局によって送信した電力制御メッセージは、様々な要因に基づくことがさらにある。例えば、いくつかの実施では、基地局は、基地局で監視した干渉に基づいて送信電力オフセットを定義することがある。いくつかの実施では、基地局は、加入者局に関連したサービス品質のレベル（a level of quality of service）に基づいて送信電力オフセットを定義することがある。いくつかの実施では、基地局は、加入者局に関連したハイブリッド自動繰り返し要求（hybrid automatic repeat-request）（「ＨＡＲＱ」)に基づいて送信電力オフセットを定義することがある。いくつかの実施では、基地局は受信アンテナの数に基づいて電力オフセットを定義することがある。いくつかの実施では、基地局は少なくとも１つの受信アンテナに関連した利得に基づいて電力オフセットを定義することがある。
【００１５】
いくつかの局面では、準備（provisions）は、動作（operation）の開ループと閉ループのモード間の同期を維持することを促進するため、かつこれらの運転モード間の切り替えを促進するために行なわれることがある。例えば、閉ループから開ループに切り替わるとき、準備（provisions）は、閉ループ動作中に以前に使用した送信電力レベルに基づいて開ループ電力方程式のための適切なパラメータを指定するために行なわれることがある。さらに、準備（provisions）は、基地局の電力制御動作と移動局の間の同期を維持し、かつそのような同期が失われるという事象での誤り回復を提供するために行なわれることがある。
【図面の簡単な説明】
【００１６】
これらおよび開示の他の見本（sample）の局面は、詳細な記述、およびこれに従う請求項、およびこれらに添付される図面に記述されるだろう。
【図１】図１は、通信システムのいくつかの見本の局面の簡略図である。
【図２】図２は、電力制御動作（operations）のいくつかの見本の局面のフローチャートである。
【図３】図３は、伝送損失を決定するために行なわれることがある動作のいくつかの見本の局面のフローチャートである。
【図４】図４は、電力制御情報を提供するために行なわれることがある動作のいくつかの見本局面のフローチャートである。
【図５】図５は、閉ループ電力制御と開ループ電力制御の間で切り替えるために行なわれることがある動作のいくつかの見本の局面のフローチャートである。
【図６】図６は、閉ループおよび開ループ動作を同期させるために行なわれることがある動作のいくつかの見本の局面のフローチャートである。
【図７】図７は、通信システムの無線装置のいくつかの見本局面の簡略ブロック図である。
【図８】図８は、通信構成要因のいくつかの見本の局面の簡略ブロック図である。
【図９】図９は、ここに教えられるような電力制御を提供するように構成した装置のいくつかの見本の局面の簡略ブロック図である。
【００１７】
一般的慣習に従って、図面の中で説明した様々な特徴は、スケール（scale）に描かれないことがある。従って、様々な特徴の次元は、明瞭さのために任意に拡張することがあるし縮小することがある。さらに、図面のうちのいくつかは明瞭さのために単純化されることがある。したがって、図面は、所定の機構（apparatus）（例えば装置)か方法の構成要素（components）の全てを描くとは限られないことがある。最後に、参照数字は、仕様と図の全体にわたる特徴を示すために使用されることがある。
【発明を実施するための形態】
【００１８】
開示の種々の局面は下記に述べられる。ここの教えが種々様々の形式およびそれで具体化されることがあることは明白であるべきであり、任意の特定構造、機能あるいは両方、またはここに示されることは単に代表的である。当業者によりここに教えることに基づいて、ここに示される局面が他の局面と無関係に実現され、これらの局面の２つ以上が様々な方法で組み合わせられることがあることを認識するべきである。例えば、装置は実現されることがあり、あるいは、方法はここに述べた局面のどんな数も使用して実行されることがある。  
さらに、そのような装置は実現されることがあり、あるいは、そのような方法は、ここに述べた局面の１つ以上に加えて、あるいはその１つ以外に非重要構造（other structure）、非重要機能性あるいは構造および機能性を使用して実行されることがある。更に、局面は、請求項の少なくとも１つの要素（element）を具備することがある。
【００１９】
実例目的のために、続く議論は、加入者局が逆方向リンク上の基地局への送信に使用されるために送信電力を決定するところで、無線通信システムの様々な構成要素および動作について記述する。しかしながら、ここの教えが他の無線装置のタイプおよび通信システムに適用可能なことがあることが認識されるべきである。
【００２０】
図１を参照して、多元接続無線通信方式の見本は説明される。アクセスポイント１００（例えばアクセスポイント）は、アンテナ１０４および１０６を含む１つのグループ、およびアンテナ１０８および１１０を含む別のグループ、およびアンテナ１１２および１１４を含むもう１つのグループといった、多数のアンテナグループを含んでいる。図１では、２本のアンテナ群だけが各アンテナグループに関して示される。  
しかしながら、実際上、より多く、または、より少数のアンテナが各アンテナグループに関して利用されることがある。アクセス端末１１６は、アンテナ１１２および１１４と通信し、するとそこで、アンテナ１１２と１１４が順方向リンク（forward link）１２０上でアクセス端末１１６へ情報を送信し、逆方向リンク１１８上でアクセス端末１１６から情報を受信する。  
アクセス端末１２２は、アンテナ１０６および１０８と通信し、するとそこで、アンテナ１０６と１０８が順方向リンク１２６上で加入者局１１２へ情報を送信し、逆方向リンク１２４上でアクセス端末１２２から情報を受信する。周波数分割二重(「ＦＤＤ」)システムでは、通信リンク１１８、１２０、１２４および１２６は異なる周波数を通信に関して使用することがある。例えば、順方向リンク１２０および逆方向リンク１１８は異なる周波数群を使用することがある。
【００２１】
アンテナおよび（または）それらが通信することを意図する（design）エリアのグループはそれぞれ、アクセスポイントのセクタと呼ばれることがある。したがって、それぞれのアンテナグループは、アクセスポイント１００によってカバーすしたエリアのセクタのアクセス端末に通信することを意図することがある。
【００２２】
順方向リンク１２０および１２６上の通信に関しては、アクセスポイント１００の送信アンテナは、異なるアクセス端末１１６および１２２に関して順方向リンクの信号対雑音比を改善するためにビーム形成（beam-forming）を利用することがある。さらに、その対象エリアを通って無作為に散在したアクセス端末に送信するためにビーム形成を使用するアクセスポイントは、その対象エリアのアクセス端末の全てに送信するために単一のアンテナを使用するアクセスポイントより近隣のセルのアクセス端末へのより少ない干渉を引き起こすことがある。
【００２３】
図１のシステムの見本の動作は、図２−６のフローチャートに今より詳細に議論されるだろう。便宜上、図２−６の動作（あるいはここに議論したか教えた他の動作）は、特定構成要素（components）（例えば図７に示されるシステム７００の構成要素）によって行なわれると述べられることがある。しかしながら、これらの動作が他のタイプの構成要素によって行なわれ、異なる構成要素の数を使用して行なわれることがあることは認識されるべきである。ここに記述した動作の１つ以上が所定の実施で使用されないことがあることはさらに認識されるべきである。
【００２４】
ある時点では、図２を最初に参照して、ブロック２０２によって表わされるように、加入者局（例えば図７の加入者局７０２）は、開ループ電力制御を開始する。開ループ電力制御を使用するとき、加入者局７０２は、それが無線通信リンクに関する送信に使用する送信電力を決定するために開ループ電力方程式を使用することがある。開ループ電力制御の開始は、図５と共により詳細に下に議論される。
【００２５】
ブロック２０４によって表わされるように、開ループ電力制御中に、加入者局７０２（例えばトランシーバ７０８の受信機コンポーネント７０６）は、関連する基地局（例えば図７の基地局７０４）から１つまたはメッセージ（one or messages）を受信することがある。いくつかの局面では、そのようなメッセージは、開ループ電力制御の間に使用される送信電力の調整に関係のある指示（indication）を含む。ここで、基地局７０４は、それが監視する（例えば干渉ディターミナ（determiner）コンポーネント７１０によって）干渉における、ある変動に基づいてメッセージを生成することがある。例えば、もしもコンポーネント７１０が干渉の増大を検出するならば、基地局７０４（例えば電力コントローラ７１２）は、送信電力を増加させるための指示を具備するメッセージを生成することがある。反対に、もしもコンポーネント７１０が干渉の減少を検出するならば、メッセージは、送信電力を弱めるための指示を具備することがある。典型的な実施では、基地局７０４は、繰り返した方式（例えば、基地局７０４が干渉の変化を監視するときは常に）で加入者局７０２への電力制御指示を含むメッセージを送信することがある。
【００２６】
ブロック２０６によって表わされるように、加入者局７０２は、送信電力を算出するために使用されるために開ループ電力方程式パラメータを決定する。いくつかの実施では、この電力方程式は、式（１）の形式をとる。
【００２７】
P=L+C/N+NI-10log10(R)+Offset_SSperSS+Offset_BSperSS  …式（１）
式（１）のパラメータの概要は続いて起こる。ＰはｄＢｍでの送信電力レベルである。Ｌは、順方向リンク伝送損失（例えば伝送損失の評価）である。Ｃ／Ｎは、選択した符号化スキーム（例えば選択した変調／ＦＥＣ率）のためのキャリア対雑音の比である。ＮＩは、基地局での雑音および干渉のｄＢｍでの概算平均電力レベルである。ＮＩは、その関連する加入者局（例えば、ＤＣＤメッセージによってブロードキャストする（broadcast））への基地局７０４によって繰り返しブロードキャストされる（broadcast）。Ｒは、繰返し率（例えば選択した変調／ＦＥＣ率のための）である。Offset_SSperSSは、加入者局７０２（例えば、加入者局７０２によって見たエラーに依存して調整した）によって提供されるオフセットパラメータである。Offset_BSperSSは、基地局７０４によって提供した情報に基づく、加入者局で維持したオフセットパラメータである。例えば、Offset_BSperSS値は、様々な電力制御メッセージ（例えばIEEE 802.16規格によって定義したような）の受取と協同する加入者局によって集めた全ての電力制御指令（commands）の蓄積（accumulation）を表わすことがある。より詳細に下に議論されるように、このオフセットパラメータは、ブロック２０４で受信した電力制御指示に少なくとも一部分基づくことがある。
【００２８】
ブロック２０８によって表わされるように、加入者局７０２（例えば電力コントローラコンポーネント７１４）は、繰り返した方式で、電力方程式に基づいて逆方向リンクのための送信電力を決定することがある。例えば、加入者局７０２は、基地局７０４（例えば、ブロック２０４）から、それが電力制御メッセージを受信するときは常に、送信電力を再計算することがある。さらに、図３とともに詳細に議論されるように、加入者局７０２は、時間上の（over time）関連する通信路の変更を明らかにするために基地局７０４への伝送損失を繰り返し決定することがある（例えば評価）（例えば、ブロック２０６）。この場合、加入者局７０２が伝送損失における変動を検出するときは常に、加入者局７０２は、それに応じてその送信電力を調整することがある。
【００２９】
いくつかの局面では、図２の動作は、開ループと閉ループの動作がより多くの有効電力制御を提供するために相互に働くところで、電力制御スキームを有利に提供する。ここで、開ループモードで動作する加入者局は、干渉における変動が基地局（例えば閉ループ情報）によって監視したことを考慮にさらに取り入れる間に、それが監視するという条件（例えば現在の評価した伝送損失）に基づいてその送信電力を調整することがある。
【００３０】
電力方程式のための伝送損失パラメータは様々な方法で定義され（例えば、調整した）、１つ以上の要因に基づくことがある。そのような要因のいくつかの例は図３と共に記述されるだろう。
【００３１】
ブロック３０２によって表わされるように、ある時点では、加入者局７０２は、開ループ電力方程式のためのパラメータを決定し始めるだろう（例えば、更新しているか得て）。典型的な実施では、加入者局７０２は、繰り返した方式上でこれらの動作を行なうだろう。例えば、いくつかの実施例では、加入者局７０２は、電力方程式パラメータを周期的に決定することがある（例えば、伝送損失を評価する）。いくつかの実施例では、加入者局７０２は、基地局７０４から、それが対応するメッセージ（例えば電力制御指示（a power control indication））を受信するときは常に、電力方程式パラメータを決定することがある。いくつかの実施例では、加入者局７０２は、それがデータ（例えばあらゆるフレーム）を送信するときは常に、電力方程式パラメータを決定することがある。
【００３２】
いくつかの局面では、順方向リンク伝送損失は、電力方程式の目的のための逆方向リンク伝送損失に十分に類似すると仮定されている（assumed）。言いかえれば、伝送損失は、順方向および逆方向リンクのためにチャネル状態（channel conditions）（例えば伝送損失）間の想定される相互性に基づいて決定されることがある（例えば評価した）。従って、ブロック３０４によって表わされるように、加入者局７０２（例えば伝送損失評価器（a path loss estimator）７１６）は順方向リンク上の伝送損失を評価することがある。この処理は、例えば、受信機７０６によって受信した信号の電力レベル（例えばスペクトル密度）を測定すること、および、その電力レベルと基地局７０４によって送信された信号の電力レベルとを比較することとを含むことがある。この目的のために、加入者局７０２は、この信号を送信するために基地局７０４によって使用される送信電力に関する情報を得るように構成されることがある。例えば、ある信号のために基地局７０４によって使用した送信電力レベルは知られることがあり、あるいは、基地局７０４は、そのような電力レベル情報を含めて加入者局７０２へメッセージを送ることがある。
【００３３】
順方向リンク伝送損失は、順方向リンク上の受信した様々な信号のタイプに基づいて評価されることがある。例えば、いくつかの実施では、加入者局７０２は、基地局７０４から順方向リンク上の受信される制御信号に基づいて順方向リンク伝送損失を評価するだろう。
【００３４】
ブロック３０６によって表わされるように、いくつかの実施では、加入者局７０２（例えば評価器７１６）は、基地局７０４および加入者局７０２のアンテナ構成に基づいて伝送損失を評価することがある。ここで、加入者局７０２は、いくつかの状況で、異なる送信および受信アンテナの数は、順方向および逆方向リンクに使用されることがあることを考慮に入れることがある。例えば、順方向リンクにおいては、基地局７０４は、加入者局７０２が受信するために（MRC/MMSEの組み合わせで)２本のアンテナを使用している間に送信するために１本のアンテナを（あるプレ符号化（precoding）およびビーム形成（beam-forming）とともに)使用することがある。しかしながら、逆方向リンクにおいては、加入者局７０２は、送信するために１本のアンテナを使用することがあり、基地局７０４は、受信するために１本のアンテナを使用することがある。そのような場合では、加入者局は、より正確な逆方向リンク伝送損失の評価を提供するために、順方向リンクに関して伝送損失評価を適応させる（adapt）ことがある（例えば増加）。
【００３５】
ある実施では、校正手順（calibration procedure）は、順方向および逆方向リンクの中で使用される異なるトランシーバの特性に基づいて伝送損失評価を調整するために使用されることがある。例えば、自己校正（self-calibration）手順あるいは無線の（over-the-air）校正手順は、ここで使用されることがある。
【００３６】
ブロック３０８によって表わされるように、いくつかの実施では、加入者局７０２は、評価した伝送損失の大きな変化および（または）評価した伝送損失中の一時的な変化を緩和しようとして、伝送損失の評価を調整することがある。いくつかの局面では、これらの動作はフィルタリング（filtering）技術（例えばフィルタコンポーネント７１８）を用いて遂行されることがある。いくつかの状況の下では、加入者局７０２は、伝送損失の評価の唐突な変化を除去するために、比較的長い長さ（length）を持っているフィルタ（例えばフィルタ・バンク（filter bank））を使用することがある。例えば、伝送損失（例えば、順方向リンク上で受信した電力の大きな変化に基づいて）の最初の（initial）評価に比較的大きな変化がある場合、フィルタは、電力方程式に使用した現在の伝送損失パラメータの緩やかな（例えば、付加的な）変化を引き起こすことがある。この場合、伝送損失パラメータの大きさは、伝送損失の最初の評価の変化の大きさに結局「追いつく」ことがある。反対に、伝送損失の最初の評価に一時的な変化がある場合、フィルタリングされる（filtering）結果は、変化がないあるいは伝送損失パラメータの縮小した変化のいずれかを引き起こすことがある。
【００３７】
ブロック３１０によって表わされるように、いくつかの実施では、加入者局７０２（例えば評価器７１６）は、加入者局７０２の移動に基づいて、伝送損失評価を定義することがある。例えば、加入者局７０２が比較的速く移動している場合、および（または）特定方向では、現在の伝送損失の評価は短期間の間は正確なだけであることがある。したがって、これらの場合では、伝送損失の変化をより速く追跡し、かつ新たな伝送損失評価に適応させる加入者局７０２に関して望ましいことがある。
【００３８】
いくつかの実施では、これは異なる（例えばより短い長さ）フィルタの使用を通じて遂行されることがある。従って、加入者局７０２は、加入者局７０２の運動の速度および（または）方向に基づいて現在使用しているフィルタ（例えば切り替えフィルタ）を変更するように構成されることがある。
【００３９】
加入者局７０２は様々な方法で移動を測定することがある。例えば、いくつかの実施では、加入者局７０２は、加入者局７０２の運動を追跡する（例えば、現在の場所の変化に基づいて）場所／行動検出機コンポーネント７２０（例えば加速度計、ＧＰＳ受信機など）を含むことがある。
【００４０】
ブロック３１２によって表わされるように、いくつかの実施では、加入者局７０２（例えば評価器７１６）は、加入者局７０２の場所（例えば場所／行動検出機７２０によって決定したような）に基づいて伝送損失評価を定義することがある。例えば、加入者局７０２がセルの端部（edge）（例えば基地局７０４に関連したセクタの対象エリアの端部の近くの）に近いとき、近隣のセル（あるいはセクタ）の無線装置に干渉しないように送信電力を制限することは望ましいことがある。したがって、いくつかの状況の下では、たとえ、伝送損失の増加が逆方向リンク送信電力の増加を求めてもよくても、加入者局７０２は、加入者局７０２が近隣の装置に干渉をする可能性を減じるために、減じた伝送損失の評価を提供することがある。
【００４１】
いくつかの局面では、加入者局７０２は、その場所を決定するか、あるいはいくつかの近隣の無線装置への伝送損失の評価により、その場所に関する情報を得ることがある。例えば、加入者局７０２は、それ自身のセクタ（例えば基地局７０４からの）からの伝送損失と同様に近隣のセクタの装置からの伝送損失を評価することがある。ここで、もしもこれらの伝送損失が比較可能である（例えば近隣のセル端部である加入者局により）ことを加入者局７０２が決定するならば、加入者局７０２は、電力方程式のための、その最初の伝送損失評価を調整することがある（例えば減少）。反対に、もしも近隣のセクタへの伝送損失が加入者局７０２（例えば基地局７０４に比較的接近している加入者局７０２による）のセクタへの伝送損失より高いならば、加入者局７０２は、電力方程式の中で最初の伝送損失評価を単に使用することがある。
【００４２】
ブロック３１４によって表わされるように、一旦、加入者局７０２が上に記述されるような伝送損失の最終評価（final estimate）を得れば、加入者局７０２は、開ループ送信電力を決定するために、他の電力方程式パラメータと共に逆方向リンク伝送損失としての値を使用する。上に議論した適応のうちのいくつかは、電力方程式に関連した、ある他のパラメータを適応させるために使用されることがあることが認識されるべきである。例えば、送信電力が下方へ（downward）調整されるべきことが決定される場合、加入者局は伝送損失以外にパラメータを減じることがあるし、あるいは電力方程式に起因する電力レベルを単に減じることがある。
【００４３】
今、図４を参照して、電力制御指示を提供するために基地局７０４が行なうことがあるいくつかの動作は、ブロック４０２で始まることが（commencing）記述されるだろう。典型的な実施では、基地局７０４は、繰り返した方式上でこれらの動作を行なうだろう。例えば、いくつかの実施例では、基地局７０４は、それが干渉における変動を検出するときは常に、指示（indication）を生成することがある。この場合、その手順は、動作が頻繁に行なわれすぎるのを防ぐある方法で制限されることがある。いくつかの実施例では、基地局７０４は、それがデータ（例えばあらゆるフレーム）を送信するか、データの受信を要求する（expect）ごとに、指示を生成することがある。いくつかの実施例では、基地局７０４は周期的に指示を生成することがある。
【００４４】
ブロック４０４によって表わされるように、ここで、基地局７０４は、それが干渉を経験しているかどうか判断するように構成されることがあり、そして、もしそうならば、その干渉の範囲（extent）を経験しているかどうか判断するために構成されることがある。例えば、いくつかの実施例では、トランシーバ７２４の受信機コンポーネント７２２は、干渉信号（例えば上に議論されるような繰り返した方式上の）のための所定のチャネルを監視することがある。さらに、いくつかの実施例では、基地局７０４は、間接のやり方（例えば、受信データ誤り率に基づいて）で干渉を評価することがある。
【００４５】
いくつかの局面では、基地局７０４（例えば干渉ディターミナ７１０）は、以前に監視した干渉に関する基地局７０４で監視した干渉には変動があるかどうか判断することがある。例えば、時間での所定の点では、干渉ディターミナ７１０は、基地局７０４によって現在監視した干渉の大きさ（例えば電力レベル）のＮＩパラメータ指示を生成することがある。その後、干渉ディターミナ７１０は、基地局７０４が生成した最も最近の（most recent）ＮＩパラメータの値、および（または）基地局７０４が送信した、以前の電力制御指示に関する監視した干渉の大きさには変動があるかどうか判断するために監視し続けることがある。
【００４６】
ブロック４０６によって表わされるように、基地局７０４は、ブロック４０４にて、干渉には変動があったかどうかに関係のある指示を生成することがある。例えば、変化がある事象で、電力コントローラ７１２は、干渉における変動の程度に基づいて送信電力オフセットパラメータの中で付加的な変化を指定する指示を生成することがあり、あるいは、電力コントローラ７１２は、監視した干渉における変化に基づいて新たな送信電力オフセットパラメータを指定する指示を生成することがある。したがって、前の場合では、基地局７０４が、後の場合では基地局が開ループ電力方程式の中で加入者局によって使用されるオフセット（例えばOffset_BSperSS）に対する新しい値を単に提供することがある間に、開ループ電力方程式のための加入者局で維持したオフセット（例えばOffset_BSperSS）を増加させるか減少させるために使用されることがある電力制御指示を生成することがある。
【００４７】
ブロック４０８によって表わされるように、基地局７０４は、加入者局７０２に関連したサービス品質またはＨＡＲＱに基づいて電力制御指示を生成することがある。例えば、もしも比較的高いサービス品質が加入者局７０２に関連した１つ以上のトラヒック流に割り当てられるならば、電力コントローラ７１２は電力制御指示に関してより大きな値を指定することがある。同様に、もしもパケットが加入者局７０２で比較的速く終了されることになっていることをＨＡＲＱ終端ポイント（the HARQ termination point）が明示するならば、電力コントローラ７１２は、電力制御指示に関してより大きな値を定義することがある。上記のものの特定の例として、干渉の増加に応じて、より大きな大きさの電力制御指示は、ベストエフォート（best-effort）トラヒックに相反するものとしての（as opposed to）音声トラヒックのために指定されることがある。ここで、基地局７０４は、基地局７０４と加入者局７０２の間の通信に基づいて加入者局７０２に関連したサービス品質かＨＡＲＱを決定することがあることは認識されるべきである。
【００４８】
ブロック４１０によって表わされるように、基地局７０４は、基地局７０４での受信アンテナの数および（または）これらのアンテナの各々の利得に基づいて電力制御指示を生成することがある。例えば、電力コントローラ７１２は、２本以上のアンテナが使用されているかどうかに相反して、もしも１本の受信アンテナが使用されているならば、電力制御指示に関して異なる値を定義することがある。同様に、電力コントローラ７１２は、より高いアンテナ利得がいつ使用されるかに相反するものとしての、より低いアンテナ利得を利用するとき、電力制御指示に関して異なる値を定義することがある。
【００４９】
ブロック４１２によって表わされるように、基地局７０４（例えば送信機コンポーネント７２６）は加入者局７０２に指示を送信する。基地局７０４からのメッセージは様々な形式をとることがある。いくつかの実施では、そのメッセージは専用の電力制御メッセージを具備することがある。いくつかの実施では、非電力特定メッセージ（non-power-specific message）は、他の情報と共に電力制御指示を送るために使用されることがある。いくつかの局面では、メッセージは、加入者局７０２（例えば情報要素（an information element）による）に特に向けたユニキャスト・メッセージを具備することがある。上に言及されるように、いくつかの局面では、メッセージは、開ループ電力方程式のためのOffset_BSperSSパラメータを指定することがあり、また、そのパラメータを変更するために使用される情報を具備することがある。
【００５０】
今、図５を参照して、閉ループ電力制御と開ループ電力制御の間に移行すること（transitioning）に関連した見本の動作は、今記述されるだろう。その記述した動作は、ブロック５０２によって表わされるように、基地局７０４および加入者局７０２が１つの他のものと結びついた後、開始する。ブロック５０４によって表わされるように、閉ループ電力制御はディフォルト（default）電力制御モードであることがある。しかしながら、ある時点では、基地局７０４は、開ループ電力制御（ブロック５０６）への切り替えを開始することに決定する（elect）ことがある。例えば、開ループ電力制御モードは、基地局７０４から加入者局７０２までの送信する電力制御メッセージに関連したオーバヘッド（overhead）を縮小するために選択されることがある。開ループ電力制御に関連した見本の動作は、ブロック５１８−５２６と共に下に記述されるだろう。
【００５１】
閉ループ電力制御に関連した見本の動作は、ブロック５０８−５１６で記述される。ブロック５０８によって表わされるように、基地局７０４は監視した干渉のような基地局７０４で状態を監視する。状態に変化がある事象下で（ブロック５１０）、基地局７０４（例えば電力コントローラ７１２）は、逆方向リンクに関して送信電力がどの程度まで変化したか判断することがある（ブロック５１２）。ブロック５１４では、基地局７０４は、このようにして加入者局７０２へ電力制御指令を送ることがある。ここで、電力制御指令は、送信電力において付加的な増加もしくは減少を指定することがある（例えば、ｄＢで指定した値を使用して）。このメッセージに応じて、加入者局７０２は、指定の量によって逆方向リンクのための、その送信電力を調整する（ブロック５１６）。その後、上記の動作は、スイッチ（switch）が開ループ電力制御にされるまで繰り返されることがある。
【００５２】
今、開ループ電力制御動作を指して、ブロック５１８および５２０によって表わされるように、加入者局７０２は、関連する基地局７０４から受信したメッセージに応じて開ループ電力制御を開始することがある。ブロック５２２によって表わされるように、加入者局７０２は、ここに議論されるような開ループ電力方程式のためにパラメータを得ることがある。
【００５３】
閉ループから開ループまで切り替わるとき、準備（provisions）は逆方向リンク送信電力の比較的大きな変化を防ぐために行なわれることがある。例えば、電力コントローラ７１４は、結果として生じる送信電力が閉ループモードの中で使用されたすぐ前の（last）送信電力に本質的に似ているように、電力方程式のために初期値パラメータ（例えばＬ、ＮＩ、オフセット）を定義することがある。いくつかの実例では、これは、例えば、より多くのことのうちの１つあるいはパラメータに重みを加えること（例えば一時的に）により遂行されることがある。
【００５４】
ブロック５２４によって表わされるように、加入者局７０２は、電力方程式に基づいて送信電力を決定し、ここに議論されるような、その逆方向リンク送信のために、指定した電力レベルを使用する。ブロック５２４によって表わされるように、スイッチ（switch）が閉ループ電力制御にされるまで、上記の開ループ動作が繰り返されることがある。ここで、スイッチ（switch）は、閉ループモードに基地局７０４（例えば、ブロック５１８でのメッセージに似ている）からのメッセージによって呼び出されることがある。
【００５５】
今、図６を参照して、いくつかの実施では、準備（provisions）は、基地局７０４および加入者局７０２の電力制御動作の同期を維持するためになされることがある。
【００５６】
例えば、ここに議論されるように、基地局７０４は、その送信電力を付加的に変更するように加入者局７０２に命じるメッセージを送信することがある。しかしながら、もしも加入者局７０２がこれらのメッセージの１つ以上を受信しないならば、基地局７０４および加入者局７０２の電力制御動作は、もはや同期されないことがある。言い換えれば、基地局７０４は、それが別の電力レベルで送信するべきであることを加入者局７０２が決定している間に、加入者局７０２がある電力レベルで送信することを要求する（expect）ことがある。
【００５７】
図６は、そのような同期を維持するために（例えば、維持するか回復する）使用されることがあるいくつかの見本の動作を例証する。ブロック６０２では、加入者局７０２（例えば送信機コンポーネント７２８）は、逆方向リンク上で加入者局７０２によって使用される現在の送信電力を示す、基地局７０４への情報を送信することがある。基地局７０４では、この情報を含むメッセージは、受信機７２２によって受信され、同期コントローラ７３０に提供されることがある。ここで、同期コントローラ７３０は、受信した電力情報を要求電力レベルと比較することがある（ブロック６０４）。ブロック６０６によって表わされるように、これらの値が異なる（例えば、違いは定義したデルタ（delta）より大きい）場合、電力コントローラ７１２は、同期を維持し（例えば、回復する)、かつ加入者局７０２へ修正した指示を送るために電力制御指示を定義することがある（例えば、適応させる）（ブロック６０８）。基地局７０４および加入者局７０２は、電力制御同期を維持しようとして、通常の（例えば、周期的）方式上で図６の動作を行なうことがある。
【００５８】
ここに教えられるような無線通信方式は音声データなどのような様々な通信内容のタイプを提供するために実施（deploy）されることがある。そのようなシステムは、利用可能システムリソース（例えば帯域幅と送信電力）の共有により、複数ユーザとの通信をサポートすることの能力がある多元接続システムを具備することがある。そのような多元接続システムの例は、符号分割多元接続(「ＣＤＭＡ」)システム、時分割多元接続(「ＴＤＭＡ」)システム、周波数分割多元接続(「ＦＤＭＡ」)システム、３ＧＰＰ  ＬＴＥシステム、直交周波数分割多元接続(「ＯＦＤＭＡ」)システムなどを含んでいる。
【００５９】
無線多元接続通信システムは、同時に多数の無線端末に関する通信をサポートすることがある。上に言及されるように、それぞれの端末（terminal）は順方向および逆方向リンク上の送信によって１つ以上の基地局と通信することがある。順方向リンク（あるいはダウンリンク）は、基地局から端末への通信リンクを指し、また、逆方向リンク（あるいはアップリンク）は端末から基地局への通信リンクを指す。この通信リンクは単入力単出力（a single-in-single-out）、多入力単出力（multiple-in-single-out）、または多入力多出力（a multiple-in-multiple-out）(「ＭＩＭＯ」)システムによって確立されることがある。
【００６０】
ＭＩＭＯシステムは、データ送信のための、複数の（ＮＴ）送信アンテナ、および複数の（ＮＲ）受信アンテナを使用する。ＮＴ送信およびＮＲ受信アンテナによって形成したＭＩＭＯチャネルは、ＮＳ独立チャネルへ分解されるかもしれず、するとそこで、それらは空間のチャネルと呼ばれ、するとそこで、ＮＳ≦ｍｉｎ｛ＮＴ，ＮＲ｝である。ＮＳ独立チャネルの各々はある次元に相当する。ＭＩＭＯシステムは、複数の送信および受信アンテナが利用されることによって追加のディメンジョナリティズ（dimensionalities）が生成されるならば、改善したパフォーマンス（例えばより高いスループットおよび（または）より大きな信頼度）を提供することがある。
【００６１】
ＭＩＭＯシステムは時分割二重(「ＴＤＤ」)および周波数分割二重(「ＦＤＤ」)をサポートすることがある。ＴＤＤ方式では、互恵主義（reciprocity principle）が逆方向リンクチャネルからの順方向リンクチャネルの評価を許可するように、順方向および逆方向リンク送信が同じ周波数域上にある。複数のアンテナがアクセスポイント（access point）で利用可能な場合、このアクセスポイントは、順方向リンク上の送信ビーム形成利得を抽出することができる。
【００６２】
ここの教えは、少なくとも１台の他の無線通信装置と通信するのに様々なコンポーネントを使用する装置に組み入れられることがある。図８は、装置間の通信を促進するために使用されることがあるいくつかの見本構成要素を描く。具体的には、図８はデバイス８１０（例えばアクセスポイント）およびＭＩＭＯシステム８００のデバイス８５０（例えばアクセス端末）を説明する。デバイス８１０では、多くのデータストリームのためのトラヒックデータはデータ送信装置８１２から送信(「ＴＸ」)データプロセッサ８１４に提供される。
【００６３】
いくつかの局面では、それぞれのデータストリームはそれぞれの送信アンテナを通して送信される。ＴＸデータプロセッサ８１４は、符号化データを提供するために、そのデータストリームに関して選択した特定の符号化スキームに基づいて各データストリームのためのトラヒックデータをフォーマットし、符号化し、インターリーブ（interleaves）する。
【００６４】
各データストリームのための符号化データはＯＦＤＭ技術を使用して、パイロットデータ（pilot data）で多重化されることがある。パイロットデータは、既知のやり方で処理される典型的な既知のデータパターンであり、チャネル応答を評価するために受信機システムで使用されることがある。各データストリームの多重パイロットおよび符号化データは、変調シンボルを提供するためにそのデータストリームに選択した、特定の変調スキーム（例えばＢＰＳＫ、ＱＳＰＫ、Ｍ−ＰＳＫあるいはＭ−ＱＡＭ）に基づいて、その後、変調される（つまり写像された（mapped）シンボル）。各データストリームのためのデータ率、符号化および変調は、プロセッサ８３０によって行なわれた指示によって決定されることがある。データメモリ８３２はプログラムコード、データ、および、プロセッサ８３０あるいはデバイス８１０の他の構成要素によって使用される他の情報を格納することがある。
【００６５】
全てのデータストリームのための変調シンボルはＴＸ  ＭＩＭＯプロセッサ８２０に、その後提供され、それは変調シンボル（例えばＯＦＤＭのための）をさらに処理することがある。その後、ＴＸ  ＭＩＭＯプロセッサ８２０は８２２ＴによってＮＴトランシーバ(「ＸＣＶＲ」)８２２ＡにＮＴ変調シンボルストリームを供給する。ある実施例では、ＴＸ  ＭＩＭＯプロセッサ８２０は、データストリームのシンボルに、およびシンボルが送信されているアンテナにビーム形成重量（beam-forming weights）を適用する。
【００６６】
トランシーバ８２２は、それぞれ、１つ以上のアナログ信号を提供するそれぞれのシンボルストリームを受信して処理し、そして、ＭＩＭＯチャネル上の送信のための相応しい変調された信号を提供するアナログ信号をさらに調整する（conditions）（例えば、増幅し、フィルタに通し（filters）、アップコンバートする（upconverts））。トランシーバ８２２Ａから８２２ＴまでＮＴ変調された信号（NT modulated signals）は、ＮＴアンテナ８２４Ａから８２４Ｔまでそれぞれ、その後、送信される。
【００６７】
デバイス８５０では、送信された変調された信号は、８５２ＲによるＮＲアンテナ８５２Ａによって受信され、また、各アンテナ８５２からの受信信号は、８５４Ｒによってそれぞれのトランシーバ（「ＸＣＶＲ」)８５４Ａに提供される。各トランシーバ８５４は、それぞれの受信信号を調整し（例えば、フィルタに通す、増幅する、また、ダウンコンバートする（downconverts）見本を提供する調整された信号をディジタル化し（digitizes）、対応する「受信した」シンボルストリームを提供するために見本をさらに処理する。
【００６８】
その後、受信(「ＲＸ」)データプロセッサ８６０は、ＮＴ「検出した」シンボルストリームを供給するために特定の受信機処理技術に基づいて、ＮＲトランシーバ８５４からＮＲ受信シンボルストリームを受信し処理する。ＲＸデータプロセッサ８６０は、その後、復調し、デインターリーブし（deinterleaves）、また、データストリームのためのトラヒックデータを回復するために各検出されたシンボルストリームをデコードする（decodes）。ＲＸデータプロセッサ８６０による処理は、デバイス８１０のＴＸ  ＭＩＭＯプロセッサ８２０およびＴＸデータプロセッサ８１４によって行なわれたそれに補完的なものである。
【００６９】
プロセッサ８７０は、どのプレ符号化マトリックス（pre-coding matrix）を使用するか（下に議論された）周期的に決める。プロセッサ８７０は、マトリックスインデックス部分およびランク値部分（a rank value portion）を具備する逆方向リンクメッセージを定式化する（formulates）。データメモリ８７２は、プログラムコード、データ、および、プロセッサ８７０あるいはデバイス８５０の他の構成要素（components）によって使用される他の情報を格納することがある。
【００７０】
逆方向リンクメッセージは、通信リンクおよび（または）受信データストリームに関する様々な情報のタイプを具備することがある。その後、逆方向リンクメッセージはＴＸデータプロセッサ８３８によって処理され、それはさらに、データ送信装置８３６から多くのデータストリームのためのトラヒックデータを受信し、変調器８８０によって変調され、８５４Ｒを介してトランシーバ８５４Ａによって調整され、デバイス８１０に送信して戻す（transmitted back）。
【００７１】
デバイス８１０では、デバイス８５０からの変調された信号は、アンテナ８２４によって受信され、トランシーバ８２２によって調整され、復調器(「ＤＥＭＯＤ」)８４０によって復調され、デバイス８５０によって送信された逆方向リンクメッセージを抽出するためにＲＸデータプロセッサ８４２によって処理される。プロセッサ８３０は、その後、ビーム形成重量が抽出済みメッセージを処理することを決定するために、どのプレ符号化マトリックスを使用するか決める。
【００７２】
図８は、さらに通信構成要素（the communication components）は、ここに教えられるような電力制御動作を行なう１つ以上の構成要素を含むことがあることを説明する。例えば、電力制御コンポーネント８９０は、プロセッサ８３０および（または）ここに教えられるような別の装置（例えばデバイス８５０）へ（から）信号を送る（受信する）デバイス８１０の他の構成要素と協同することがある。同様に、電力制御コンポーネント８９２は、プロセッサ８７０および（または）別の装置（例えばデバイス８１０）へ（から）信号を送る（受信する）デバイス８５０の他の構成要素と協同することがある。各デバイス８１０および８５０については、記述された構成要素の２つ以上の機能性が単一の構成要素によって提供されることがあることが認識されるべきである。例えば、単一の処理コンポーネント（processing component）は、電力制御コンポーネント８９０およびプロセッサ８３０の機能性を提供することがあり、また、単一の処理コンポーネントは、電力制御コンポーネント８９２およびプロセッサ８７０の機能性を提供することがある。
【００７３】
ここの教えは、様々な機構（例えば装置）に組み入れられる（例えば、内部で実現された、もしくは行なわれた）ことがある。例えば、いくつかの無線装置は、基地局(「ＢＳ」)、アクセスポイント（「ＡＰ」)、ノードＢ（NodeB）、無線ネットワークコントローラ(「ＲＮＣ」)、ｅノードＢ（eNodeB）、基地局コントローラ(「ＢＳＣ」)、基地局（Base Transceiver Station）（「ＢＴＳ」)、トランシーバ機能(「ＴＦ」)、無線ルータ（Radio Router）、無線トランシーバ（Radio Transceiver）、基本サービスセット（Basic Service Set）（「ＢＳＳ」)、拡張サービスセット（Extended Service Set）(「ＥＳＳ」)、無線基地局（Radio Base Station）(「ＲＢＳ」)あるいは他のある専門用語（terminology）として構成されるか、あるいは引用されることがある。他の無線装置（例えば無線端末）は加入者局と呼ばれることがある。加入者局は、さらに加入者ユニット、移動局、遠隔局、遠隔端末装置、アクセスターミナル（an access terminal）、ユーザ端末、利用者エージェント（a user agent）、ユーザ装置（a user device）あるいはユーザ設備（user equipment）として知られていることがある。いくつかの実施では、加入者局は携帯電話、コードレス電話機、セッション設定プロトコル（「ＳＩＰ」)電話、無線通信ローカルループ（a wireless local loop）(「ＷＬＬ」)ステーション、携帯情報端末(「ＰＤＡ」)、無線接続能力を持っているハンドヘルド（handheld）装置あるいは無線モデムに接続された他のある適切な制御演算装置を具備することがある。従って、ここに教えられた１つ以上の局面が、電話（例えば携帯電話かスマートフォン)、コンピュータ（例えばラップトップ)、携帯通信装置、ポータブル計算装置（携帯情報端末)、娯楽装置（an entertainment device）（例えば音楽かビデオ装置、あるいは衛星の（satellite）ラジオ）、全地球測位システム装置、あるいは無線媒体によって通信するように構成される他の適切な装置に組み入れられることがある。
【００７４】
上に言及されるように、いくつかの局面では、無線通信装置は通信システムに関してアクセス装置（例えば携帯電話の（cellular）、Ｗｉ−Ｆｉ、あるいはＷｉＭＡＸアクセスポイント）を具備することがある。そのようなアクセス装置は、例えば、有線または無線通信リンクによってネットワーク（例えばインターネットまたは携帯電話のネットワークのような広域ネットワーク）のために、あるいはそのネットワークに連結性を提供することがある。従って、別の装置（例えばＷｉ−ＦｉまたはＷｉＭＡＸのステーション（station））はアクセス装置によってネットワークあるいは他のある機能性にアクセスすることができることがある。
【００７５】
無線通信装置は、上に基づくか、そうでなければどんな適切な無線通信技術もサポートする１つ以上の無線通信リンクによって通信することがある。例えば、いくつかの局面では、無線通信装置はネットワークに関連することがある。いくつかの局面では、ネットワークはローカルエリアネットワークまたは広域ネットワークを具備することがある。無線通信装置は、様々な無線通信技術、プロトコルあるいは例えばＣＤＭＡ、ＴＤＭＡ、ＯＦＤＭ、ＯＦＤＭＡ、ＷｉＭＡＸおよびＷｉ−Ｆｉのような規格の１つ以上をサポートすることがあるし、そうでなければ使用することがある。同様に、無線通信装置は、様々な対応する変調の１つ以上あるいは多重化スキームをサポートすることがあるし、そうでなければ使用することがある。無線通信装置は、上記の無線通信技術あるいは他の無線通信技術を使用して、１つ以上の無線通信リンクによって確立し通信するために、このように適切な構成要素（例えばエアーインターフェース（air interfaces））を含むことがある。例えば、装置は、無線媒体上の通信を促進する、様々な構成要素（例えば信号発生器と信号処理器（signal processors）)を含むことがある、送信機および受信機コンポーネント（例えば送信機７２６および７２８、受信機７０６および７２２）に関連する無線トランシーバを具備することがある。
【００７６】
ここに記述されたコンポーネントは、様々な方法で実現されることがある。図１０から図９に言及されるように、装置（apparatuses）９０２及び９０４は、相互関係があった機能的ブロックのシリーズ（series）として表わされる。いくつかの局面では、これらのブロックの機能性は１つ以上の処理コンポーネントを含む処理システムとして実現されることがある。いくつかの局面では、これらのブロックの機能性は、例えば、１つ以上の集積回路（例えばＡＳＩＣ）の少なくとも１つの部分を使用して実現されることがある。ここに議論されるように、集積回路はプロセッサ、ソフトウェア、他の関連するコンポーネントあるいはそれのある組み合わせを含むことがある。これらのブロックの機能性は、さらにここに教えられるような他のある方法で実現されることがある。いくつかの局面では、図９の中の破線のブロックの１つ以上は付加的なものである。
【００７７】
装置（apparatuses）９０２および９０４は、様々な図に関して上に記述された機能の１つ以上を実行することがある１つ以上のモジュールを含むことがある。例えば、伝送損失評価手段９０６は、例えばここに議論されるような伝送損失評価器に相当することがある。送信電力決定手段９０８は、例えばここに議論されるような電力コントローラに相当することがある。送信手段９１０および（または）９１４は、例えばここに議論されるような送信機に相当することがある。受信手段９１２および（または）９１６は、例えばここに議論されるような受信機に相当することがある。検出部９１８は、例えばここに議論されるような干渉ディターミナ（an interference determiner）に相当することがある。電力制御指示生成手段９２０は、例えばここに議論されるような電力コントローラに相当することがある。
【００７８】
「第１」、「第２」などのような表示をここに使用する要素へのどんな言及も、それらの要素の量や指令（order）を一般に制限しないことは理解されるに違いない。もっと正確に言えば、これらの表示は、２つ以上の要素あるいは要素のインスタンス（instances）を識別する便利な方法としてここに使用されることがある。したがって、第１と第２要素の言及は、２つの要素だけがそこに使用されることがあるか、第１要素がある方法において第２要素に先行する（precede）に違いないことを意味しない。さらに、もし、そうでないならば、１組のエレメントがそうでなければ１つ以上の要素を具備することがあると述べた。
【００７９】
当業者は、情報及び信号が、様々な異なる技術及び技法のうちの任意の１つを用いて表されうることを理解するであろう。例えば、上記記載を通して参照されうるデータ、命令、コマンド、情報、信号、ビット、記号、及びチップは、電圧、電流、電磁波、磁界あるいは磁気粒子、光場あるいは光粒子、又はそれらの任意の組合せによって表されうる。
【００８０】
当業者は更に、本明細書における開示された局面に関連して記載された、実例となる様々な論理ブロック、モジュール、プロセッサ、手段、回路、及びアルゴリズムステップが、電子工学的ハードウェア（例えばディジタル・インプリメンテーション（a digital implementation）、アナログ・インプリメンテーション（an analog implementation）あるいは２つの組み合わせで、それはソース符号化（source coding）あるいは他のある技術を使用して設計されることがある）、プログラムもしくは設計コードを組み込んだ指示の様々な形式（それらは、便宜上、「ソフトウェア」あるいは「ソフトウェア・モジュール」として、あるいは両方の組み合わせとして、ここに参照されることがある）、又はそれらの組合せとして実現されうることをよく理解するであろう。ハードウェアとソフトウェアとの相互置換性を明確に説明するために、様々な実例となる構成要素、ブロック、モジュール、回路、及びステップが、それらの機能の観点から一般的に説明された。このような機能が、ハードウェアとして実現されるかソフトウェアとして実現されるかは、システム全体に課された設計制約及び特定のアプリケーションによる。当業者は、各特定のアプリケーションのために上述した機能を様々な方法で実現することができるが、このような実現の決定は、本開示の範囲から逸脱させるものとして解釈されてはならない。
【００８１】
本明細書における開示された局面に関連して示された様々な例示的論理ブロック、モジュール、及び回路は、集積回路(「ＩＣ」)、アクセスターミナルあるいはアクセスポイントによって実現又は実行されることがある。そのＩＣは、汎用プロセッサ、ディジタル信号プロセッサ（ＤＳＰ）、特定用途向け集積回路（ＡＳＩＣ）、フィールド・プログラマブル・ゲート・アレイ（ＦＰＧＡ）あるいはその他のプログラマブル論理デバイス、ディスクリート・ゲートあるいはトランジスタ・ロジック、ディスクリート・ハードウェア部品、電気部品、光学部品、機械部品、又は本明細書に示す機能を実行するために設計された上記何れかの組み合わせを具備するかもしれず、また、ＩＣ、ＩＣの外部もしくはその両方にて存在するコードあるいは指示を実行することがある。汎用プロセッサとしてマイクロプロセッサを用いることが可能であるが、代わりに、従来技術によるプロセッサ、コントローラ、マイクロコントローラ、又は状態機器を用いることも可能である。プロセッサは、例えばＤＳＰとマイクロプロセッサとの組み合わせ、複数のマイクロプロセッサ、ＤＳＰコアに接続された１つ又は複数のマイクロプロセッサ、又はこのような任意の構成である計算デバイスの組み合わせとして実現することも可能である。
【００８２】
どんな特定の指令あるいは任意の示されたプロセスのステップの階層（hierarchy）も、サンプル・アプローチの例（an example of a sample approach）であることは理解される。設計選択（design preferences）に基づいて、現在の開示の範囲内で残る間に、プロセスのステップの特定の順序か上下関係（hierarchy）が再整理されることがあることは理解される。伴う方法は、見本指令の様々なステップの現在のエレメントを要求し、特定の指令または存在する上下関係が制限されることが意味されてはいない。
【００８３】
１つ又は複数の典型的な実施例において、説明された機能は、ハードウェア、ソフトウェア、ファームウェア、又はそれら任意の組み合わせによって実現されうる。ソフトウェアによって実現される場合、機能は、コンピュータ読取可能媒体上の１つ又は複数の命令又はコードとして格納又は送信されうる。  
コンピュータ読取可能媒体は、１つの場所から別の場所へのコンピュータプログラムの転送を容易にする任意の媒体を含む通信媒体及びコンピュータ記憶媒体両方を含む。記憶媒体は、コンピュータによってアクセス可能である任意の利用可能な媒体であることができる。  
限定ではなく一例として、そのようなコンピュータ読取可能媒体は、ＲＡＭ、ＲＯＭ、ＥＥＰＲＯＭ、フラッシュメモリ、レジスタ、ＣＤ−ＲＯＭあるいはその他の光ディスク記憶媒体、磁気ディスク記憶媒体あるいはその他の磁気記憶媒体、又は、コンピュータによってアクセス可能であり、命令又はデータ構成の形式で望まれるプログラムコードを搬送又は格納するために用いられることができるその他任意の媒体を備えることがある。  
また、任意の接続が、コンピュータ読取可能媒体と適切に称される。例えば、ソフトウェアが、ウェブサイト、サーバ、又は、同軸ケーブル、光ファイバーケーブル、ツイスト・ペア、ＤＳＬ、あるいは例えば赤外線、無線、及びマイクロ波のような無線技術を用いるその他の遠隔ソースから送信される場合、同軸ケーブル、光ファイバーケーブル、ツイスト線ペア、ＤＳＬ、又は、例えば赤外線、無線、及びマイクロ波のような無線技術は、媒体の定義内に含まれる。本明細書で用いられるディスク（disk）及びディスク（disc）は、コンパクト・ディスク（disc）（ＣＤ）、レーザ・ディスク（disc）、光ディスク（disc）、ディジタル・バーサタイル・ディスク（disc）（ＤＶＤ）、フロッピー（登録商標）ディスク（disk）、及びブルーレイ・ディスク（disc）を含み、ディスク（disk）は通常データを磁気的に再生するのに対し、ディスク（disc）はレーザによって光的にデータを再生する。上記の組み合わせもまた、コンピュータ読取可能媒体の範囲内に含まれるべきである。要約すると、コンピュータ読取可能媒体が任意の適切なコンピュータプログラム製品中で実現されることがあることは認識されるべきである。
【００８４】
開示された局面における上記記載は、当業者をして、本願の製造又は利用を可能とするために提供される。これら局面への様々な変形例もまた、当業者には明らかであり、本明細書で定義された一般原理は、本開示の範囲から逸脱することなく他の局面にも適用されうる。従って本開示は、本明細書に示された局面に限定することは意図されておらず、本明細書に開示された原理及び新規特徴と整合が取れた最も広い範囲と一致するように意図されている。
【図１】
2010521892.tif 000003
【図２】
2010521892.tif 000004
【図３】
2010521892.tif 000005
【図４】
2010521892.tif 000006
【図５】
2010521892.tif 000007
【図６】
2010521892.tif 000008
【図７】
2010521892.tif 000009
【図８】
2010521892.tif 000010
【図９】
2010521892.tif 000011
【手続補正書】
【提出日】平成22年1月7日(2010.1.7)
【手続補正１】
【補正対象書類名】明細書
【補正対象項目名】００２５
【補正方法】変更
【補正の内容】
【００２５】
ブロック２０４によって表わされるように、開ループ電力制御中に、加入者局７０２（例えばトランシーバ７０８の受信機コンポーネント７０６）は、関連する基地局（例えば図７の基地局７０４）から１つ以上のメッセージを受信することがある。いくつかの局面では、そのようなメッセージは、開ループ電力制御の間に使用される送信電力の調整に関係のある指示（indication）を含む。ここで、基地局７０４は、それが監視する（例えば干渉ディターミナ（determiner）コンポーネント７１０によって）干渉における、ある変動に基づいてメッセージを生成することがある。例えば、もしもコンポーネント７１０が干渉の増大を検出するならば、基地局７０４（例えば電力コントローラ７１２）は、送信電力を増加させるための指示を具備するメッセージを生成することがある。反対に、もしもコンポーネント７１０が干渉の減少を検出するならば、メッセージは、送信電力を弱めるための指示を具備することがある。典型的な実施では、基地局７０４は、繰り返した方式（例えば、基地局７０４が干渉の変化を監視するときは常に）で加入者局７０２への電力制御指示を含むメッセージを送信することがある。
【国際調査報告】
2010521892.tif 000012
2010521892.tif 000013
2010521892.tif 000014
2010521892.tif 000015
2010521892.tif 000016
2010521892.tif 000017
2010521892.tif 000018
2010521892.tif 000019